(57)【要約】【解決手段】  前身頃体と後身頃体とが確実に離脱できること。【課題】  第１連結・解除装置１Ａ，２Ａでは前記前身頃体１１に設けた前身装着部１５，１６及び後身頃体３１の後身主体部３２に設けた第１連結手段４１，４２，４３、４４を、第１の方向Ｉで第１連結・解除手段５１を挿入して連結しかつ該第１の方向Ｉとは逆向きに引き抜くことで連結状態を解除し、前記第２連結・解除装置１Ｂ，２Ｂでは前記前身肩部及び前記後身肩部３３、３４を、前記第１の方向Ｉと交差する第２及び第３の方向II，IIIで第２連結・解除手段６１を第２連結手段７１，７３，７４に挿入して連結しかつ前記第２及び第３の方向II，IIIと逆向きに引き抜くことにより連結状態を解除する。【選択図】  図２
2011094275.tif 000002
【特許請求の範囲】
【請求項１】
前身頃体及び後身頃体を連結・解除する第１連結・解除装置及び第２連結・解除装置を含む胴衣において、
前記前身頃体は着用者の胸面・腹面に対向する前身主体部と、該着用者の肩面のそれぞれ対向する一対の前身肩部と、前記後身頃体に対向するように前記前身主体部に設けた一対の前身装着部とを有し、
前記後身頃体は、前記着用者の背面に対向させる後身主体部と、前記着用者の前記肩面のそれぞれに対向させる一対の後身肩部とを有し、
前記第１連結・解除装置は、前記前身装着部及び前記後身主体部を連結するための第１連結手段と、該第１連結手段を連結しかつ連結状態を解除する第１連結・解除手段とを有し、
前記第１連結・解除手段は、前記後身主体部の上側から下側への方向である第１の方向へ挿入することにより前記第１連結手段を連結しかつ該第１の方向とは逆向きの引き抜き方向へ引き抜くことにより連結状態を解除するものであり、
前記第２連結・解除装置は、前記前身肩部及び前記後身肩部を連結するための第２連結手段と、該第２連結手段を連結しかつ連結状態を解除する第２連結・解除手段とを有し、
前記第２連結・解除手段は、前記第１の方向と交差する第２の方向で一方の前記第２連結手段に挿入することにより前記前身肩部と前記後身肩部とを連結し、前記第１の方向及び前記第２の方向と交差する第３の方向で他方の前記第２連結手段に挿入することにより前記前身肩部と前記後身肩部とを連結し、一方の前記第２連結手段を前記第２の方向と逆向きに引き抜き、かつ他方の前記第２連結手段を前記第３の方向と逆向きに引き抜くことにより連結状態を解除するものであることを特徴とする胴衣。
【請求項２】
請求項１記載の胴衣において、前記第１連結手段は前記後身主体部の前記上側及び前記下側への方向で複数段に配置されており、前記第２連結手段の一端部が前記前身肩部に固定されており、前記第２連結・解除手段により連結しかつ連結状態を解除するための前記第２連結手段の他端側の連結・解除部分が前記後身肩部に配置されていることを特徴とする胴衣。
【請求項３】
請求項２記載の胴衣において、一方の前記第２連結手段と、他方の前記第２連結手段とは、前記後身肩部の上側及び下側の方向間で互いにずれて配置されていることを特徴とする胴衣。
【請求項４】
請求項１記載の胴衣において、前記第１連結手段は、前記後身主体部の前記上側及び前記下側で複数段に位置されており、前記第２連結・解除手段により連結しかつ連結状態を解除するための前記第２連結手段の他端側の連結・解除部分が、一方の前記後身肩部と、他方の前記後身肩部に対向する前記前身肩部に配置されていることを特徴とする胴衣。
【請求項５】
請求項４記載の胴衣において、前記前身主体部は分離し開放できるように一方の前記前身装着部に一体に重ね装着部を有し、該重ね装着部が前記前身主体部の表面に止着部材を介して重ね合わされて前記前身主体部と前記重ね装着部とが着脱可能に止着されていることを特徴とする胴衣。
【請求項６】
請求項１乃至５のいずれか１項に記載の胴衣において、前記第１連結手段は前記前身装着部の延在端部のそれぞれに一端部が固定されている第１バンド部材と、前記後身主体部に固定されているテープ形状の第１固定部材とを有することを特徴とする胴衣。
【請求項７】
請求項６記載の胴衣において、前記第１バンド部材の前記一端ぶから延在している前記他端部の前記連結・解除部分には、前記後身主体部上において前記第１の方向に貫通するように第１貫通孔が形成されており、前記第１固定部材は、前記第１バンド部材の近傍で前記第１の方向の上側及び下側の少なくとも１箇所の前記後身主体部の表面に固定されており、前記第１固定部材には、前記第１バンド部材の前記第１貫通孔に挿通される前記第１連結・解除手段が挿通する第１固定貫通孔が形成されていることを特徴とする胴衣。
【請求項８】
請求項１乃至７のいずれか１項に記載の胴衣において、前記第２連結手段は前記一端部が両方の前記前身肩部に固定されており、かつ前記他端側の前記連結・解除部分が前記後身肩部に対向するように延びている第２バンド部材と、前記後身肩部に固定されているテープ形状の第２固定部材とを有することを特徴とする胴衣。
【請求項９】
請求項１乃至６のいずれか１項に記載の胴衣において、前記第２連結手段は前記一端部が一方の前記前身肩部に固定されており、かつ前記他端側の前記連結・解除部分が一方の前記前身肩部に対向させる一方の前記後身肩部へ延びている第２バンド部材と、前記後身肩部に固定されているテープ形状の第２固定部材とを有することを特徴とする胴衣。
【請求項１０】
請求項８又は９記載の胴衣において、前記第２バンド部材の前記他端側の前記連結・解除部分には、前記第２連結・解除手段を前記第１の方向に沿って挿通するように第２貫通孔が形成されており、前記第２固定部材には前記第２貫通孔に挿通する前記第２連結・解除手段が挿通する第２固定貫通孔が形成されていることを特徴とする胴衣。
【請求項１１】
請求項１０記載の載の胴衣において、前記第２貫通孔の数が前記第２固定貫通孔の数よりも多いことを特徴とする胴衣。
【請求項１２】
請求項８乃至１１のいずれか１項に記載の載の胴衣において、前記第２バンド部材は、前記一端部が固定されているバンド部と、該バンド部の他端部にリング部材を介して連結されている係止部とを有し、前記バンド部は前記一端部が前記前身肩部のそれぞれに固定され、前記リング部材の内側に通して前記一端部と対向するように迂回されており、前記バンド部の前記一端部の近傍には前記一端部と対向するように迂回されている前記バンド部と対向する表面に止着部材が設けられており、迂回されている前記バンド部には前記止着部材に対向し止着可能な相手止着部材が設けられており、前記第２固定貫通孔が前記係止部に形成されていることを特徴とする胴衣。
【請求項１３】
請求項８乃至１２のいずれか１項に記載の胴衣において、前記第１連結・解除手段は前記第１貫通孔及び前記第１固定貫通孔に挿抜可能な第１連結・解除部材を有し、前記第２連結・解除手段は前記第２貫通孔及び前記第２固定貫通孔に挿抜可能な第２連結・解除部材とを有することを特徴とする胴衣。
【請求項１４】
請求項８乃至１２のいずれか１項に記載の胴衣において、前記第１連結・解除手段は、前記第１貫通孔及び前記第１固定貫通孔に挿抜可能な第１連結・解除部材と、該第１連結・解除部材と接続している第１解除部材とを有し、前記第２連結・解除手段は、前記第２貫通孔及び前記第２固定貫通孔に挿抜可能な第２連結・解除部材と、該第２連結・解除部材と接続している第２解除部材とを有することを特徴とする胴衣。
【請求項１５】
請求項１３に記載の胴衣において、前記第１連結・解除部材は剛性の金属棒又は剛性の樹脂棒によって作られており、前記第１解除部材は可撓性を有する金属の線材によって作られており、前記第１連結・解除部材の一対の棒状部を連接している接続部と接続されており、前記第２連結・解除部材は剛性の金属棒又は剛性の樹脂棒によって作られており、前記第２解除部材は可撓性を有する金属の線材によって作られており、前記第２連結・解除部材の一対の棒状部を連接している接続部と接続されていることを特徴する胴衣。
【発明の詳細な説明】
【技術分野】
【０００１】
本発明は、着用者の身体に装着する前身頃体と後身頃体とを連結・解除可能となす胴衣に関する。
【背景技術】
【０００２】
関連技術１としては、着用者が装着する前身頃と後身頃とを備え、前身頃と後身頃とが、肩部及び腰部において接続具によって連結され、かつ接続具には線材またはテープ材が連結されており、さらに、線材またはテープ材がリング状物で一箇所に集約連結されてなる防護衣料が知られている（例えば、特許文献１を参照）。
【０００３】
特許文献１の防護衣料では、接続具によって連結されている前身頃と後身頃とを着用者が着用した後に、リング状物に附帯する接続具開放用テープを、下方へ引き下げる。この際、腰部及び肩部において、接続具の環状テープの環に挿入された固定用ピンが、環状テープの環から引き抜かれる。続いて前身頃肩部に縫着合されてなるテープに設けられた長円状の鳩目孔から環状テープが引き抜かれることになり、肩部及び腰部が開放され、前身頃と後身頃とが脱着するものである。
【０００４】
関連技術２としては、前身頃体および後身頃体の二箇所で互いに連結及び連結を解除することが可能な連結・解除機構としての一対の第１連結手段及び一対の第２連結手段と、一対の第１連結手段及び一対の第２連結手段の連結状態を協働して解除可能となす紐、鋼線材又は樹脂線材などからなる第１解除部材及び第２解除部材とを有する胴衣が開示されている。
【０００５】
この胴衣では、第１及び第２解除部材を操作部で同時に引っ張ることにより第１及び第２連結手段を協働して引き離し連結状態を解除することができる。
【先行技術文献】
【特許文献】
【０００６】
【特許文献１】特開２００６−１７３３２号公報
【特許文献２】特開２００６−１４４１７０号公報
【発明の概要】
【発明が解決しようとする課題】
【０００７】
特許文献１の防護衣料では、前身頃肩部に縫着されてなるテープに設けられた長円形の鳩目孔に後身方部に縫着されたテープに縫着された環状テープを挿入し、環状テープの環に、テープに固着された固定用ピンを挿入する事で前身頃と後身頃の結合を行なうので、複雑な手間のかかる連結作業を必要とするという問題がある。
【０００８】
また、特許文献１の防護衣料では、線材またはテープ材をリング状物で一箇所に集約連結しなければならないので、連結作業の手間が多くなるという問題がある。
【０００９】
特許文献２の胴衣では、第１及び第２解除部材のほとんどが前身頃体の前身主体部内に配されているので、第１及び第２解除部材を引っ張り、第１及び第２連結手段を引き離し連結状態を解除する際に、第１及び第２解除部材が完全に引っ張られた状態になっている否かなど、着用者が操作したときに不安になるという問題がある。
【００１０】
また、特許文献２の胴衣では、第１及び第２解除部材は、前身主体部内から外へ導出される部分において引っ掛かることがあり、第１及び第２解除部材の引っ張った後の状態が不安定な状態になることがある。
【００１１】
それ故に、本発明の課題は、着用者が容易に連結作業を行なうことができ、着用者が片手の操作によって前身頃体と後身頃体とを迅速にかつ確実に離脱させることができる胴衣を提供することにある。
【００１２】
また、本発明の他の課題は、第1連結・解除手段及び第２連結・解除手段の移動が円滑に行なわれることから着用者の不安を解消することができる胴衣を提供することにある。
【課題を解決するための手段】
【００１３】
本発明によれば、前身頃体及び後身頃体を連結・解除する第１連結・解除装置及び第２連結・解除装置を含む胴衣において、前記前身頃体は着用者の胸面・腹面に対向する前身主体部と、該着用者の肩面のそれぞれ対向する一対の前身肩部と、前記後身頃体に対向するように前記前身主体部に設けた一対の前身装着部とを有し、前記後身頃体は、前記着用者の背面に対向させる後身主体部と、前記着用者の前記肩面のそれぞれに対向させる一対の後身肩部とを有し、前記第１連結・解除装置は、前記前身装着部及び前記後身主体部を連結するための第１連結手段と、該第１連結手段を連結しかつ連結状態を解除する第１連結・解除手段とを有し、前記第１連結・解除手段は、前記後身主体部の上側から下側への方向である第１の方向へ挿入することにより前記第１連結手段を連結しかつ該第１の方向とは逆向きの引き抜き方向へ引き抜くことにより連結状態を解除するものであり、前記第２連結・解除装置は、前記前身肩部及び前記後身肩部を連結するための第２連結手段と、該第２連結手段を連結しかつ連結状態を解除する第２連結・解除手段とを有し、前記第２連結・解除手段は、前記第１の方向と交差する第２の方向で一方の前記第２連結手段に挿入することにより前記前身肩部と前記後身肩部とを連結し、前記第１の方向及び前記第２の方向と交差する第３の方向で他方の前記第２連結手段に挿入することにより前記前身肩部と前記後身肩部とを連結し、一方の前記第２連結手段を前記第２の方向と逆向きに引き抜き、かつ他方の前記第２連結手段を前記第３の方向と逆向きに引き抜くことにより連結状態を解除するものである胴衣が得られる。
【発明の効果】
【００１４】
本発明の第１乃至第３の実施の態様に係る胴衣によれば、第１連結・解除手段及び第２連結・解除手段により前身頃体と後身頃体とを容易に連結することができ、第１及び第２連結・解除手段を引き抜く操作によって容易に連結状態を解除できる。
【００１５】
また、本発明の第１乃至第３の実施の態様に係る胴衣によれば、連結状態からの解除を着用者の胸面に対向する部分で行なうことができるので着用者がどちらか一方の手によって迅速にかつ確実に前身頃体と後身頃体とを離脱させることができる。
【００１６】
さらに、本発明の第１乃至第３の実施の態様に係る胴衣によれば、第1連結・解除手段及び第２連結・解除手段の引っ張ることにより、第1連結・解除手段及び第２連結・解除手段の移動が円滑に行なわれることから着用者の不安を解消することができる。
【図面の簡単な説明】
【００１７】
【図１】本発明に係る胴衣の第１の実施の形態例を示しており、前身頃体及び後身頃体を連結した状態を前身頃体から見た正面図である。
【図２】図１の胴衣の前身頃体及び後身頃体を連結した状態を後身頃体から見た背面図である。
【図３】図２に示した第１連結・解除装置により前身頃体及び後身頃体を連結した状態を拡大して示した背面図である。
【図４】図３に示した第１連結・解除装置により前身頃体及び後身頃体の連結を解除した状態を示した背面図である。
【図５】図２に示した第１連結・解除装置により前身肩部及び後身肩部を連結した状態の一部を拡大して示した背面図である。
【図６】図３に示した第１連結・解除装置を解除するときの状態を前身頃体から見た正面図である。
【図７】図６に示した第１及び第２連結・解除装置により前身頃体及び後身頃体の連結を解除した状態を背面で見た背面図である。
【図８】本発明に係る胴衣の第２の実施の形態例を示しており、前身頃体及び後身頃体を連結した状態を前身頃体から見た正面図である。
【図９】図８の胴衣の前身頃体及び後身頃体を連結した状態を後身頃体から見た背面図である。
【図１０】図８に示した第２連結・解除装置を解除するときの状態を前身頃体から見た正面図である。
【図１１】図９に示した第１及び第２連結・解除装置により前身頃体及び後身頃体の連結を解除した状態を背面で見た背面図である。
【図１２】本発明に係る胴衣の第３の実施の形態例を示しており、第１連結・解除装置により前身頃体及び後身頃体を連結した状態を示す背面図である。
【図１３】図１２に示した第１連結・解除装置により前身頃体及び後身頃体の連結状態から解除した後の状態を示す背面図である。
【図１４】図１及び図２に示した第２連結・解除装置の変形例として要部を示した側面図である。
【発明を実施するための形態】
【００１８】
本発明の胴衣の第１の実施の形態例を説明する。図１は着用者に装着する胴衣を正面から見た図である。図２は着用者に装着する胴衣を背面から見た図である。
【００１９】
図１及び図２を参照して、胴衣は、着用者の胸面・腹面に対向させて装着する前身頃体１１と、着用者の背面に対向させて装着する後身頃体３１と、前身頃体１１及び後身頃体３１を連結・解除する第１連結・解除装置１Ａ，２Ａと、さらに前身頃体１１及び後身頃体３１を連結・解除する第２連結・解除装置１Ｂ，２Ｂとを備えている。
【００２０】
前身頃体１１は、着用者が着用したときに着用者の胸面・腹面に対向させる前身主体部１２と、着用者の肩面にそれぞれ対向させるように前身主体部１２と一体に設けられている一対の前身肩部１３，１４と、後身頃体３１に対向させるようにかつ前身主体部１２の両側のそれぞれから延在するように設けた一対の前身装着部１５，１６とを有する。
【００２１】
後身頃体３１は、着用者が胴衣を着用したときに着用者の背面に対向する後身主体部３２と、着用者の肩面のそれぞれに対向させるように後身主体部３２と一体に設けられている一対の後身肩部３３，３４とを有する。
【００２２】
一対の前身肩部１３，１４の間には、着用者の前側の首周りと対向するように円弧状に切り欠けられている前首部１２ａが形成されている。一対の後身肩部３３，３４の間には、着用者の後側の首周りと対向するように円弧状に切り欠けられている後首部３２ａが形成されている。なお、前身主体部１２の内部もしくは前身主体部１２及び後身主体部３２の両方の内部には、図示しない防護板が設けられている。
【００２３】
前身主体部１２及び前身装着部１５，１６の表面には、前首部１２ａ側である前身主体部１２の上側から下側への方向と略直交する方向に長い帯状の差し込み保持部１７が設けられている。差し込み保持部１７は、前身主体部１２の上側及び下側の方向で互いに間隔をもって複数が並列に設けられている。
【００２４】
さらに、後身主体部３２の表面には、後首部３２ａ側である後身主体部３２の上側から下側への方向と略直交する方向に長い帯状の差し込み保持部３７が設けられている。差し込み保持部３７は、上側及び下側の方向で互いに間隔をもって複数が並列に設けられている。これらの差し込み保持部１７，３７は、装着者が使用する用品を差し込み保持する部分である。
【００２５】
第１連結・解除装置１Ａ，２Ａは、一対の前身装着部１５，１６と後身主体部３２とを連結し、さらに連結状態を解除するために後身主体部３２の上側方向及び下側方向で後身主体部３２の上下で２段になるように設けられている。第２連結・解除装置１Ｂ，２Ｂは、前身肩部１３，１４と後身肩部３３、３４とを一対一に連結し、連結状態を解除するために一対の後身肩部３３、３４のそれぞれに設けられている。なお、第１連結・解除装置１Ａ，２Ａは、後身主体部３２の上下で２段に設けられているが、後身主体部３２の１段又は２段以上に設けてもよい。
【００２６】
さらに、以下の説明では、第１連結・解除装置１Ａ、２Ａが共に同じ連結・解除構成となっていることから、第１連結・解除装置１Ａ、２Ａのそれぞれ同じ部分には、同じ参照符号を付して図示し説明する。
【００２７】
また、第２連結・解除装置１Ｂ、２Ｂが共に同じ連結・解除構成となっていることから、第２連結・解除装置１Ｂ、２Ｂにおいても同じ部分には、同じ参照符号を付して図示し説明する。
【００２８】
図３及び図４は、１つの第１連結・解除装置１Ａを拡大して示している。図３及び図４をも参照して、第１連結・解除装置１Ａ、２Ａは、前身装着部１５，１６及び後身主体部３２上に設けられている第１連結手段４１，４２，４３、４４と、第１連結手段４１，４２，４３、４４を連結しかつ連結状態を解除する第１連結・解除手段５１とを有する。
【００２９】
第１連結・解除手段５１は、第１連結手段４１，４２，４３、４４に挿抜可能になっている。さらに第１連結・解除手段５１は、後身主体部３２上で上側から下側方向である第１の方向（挿入方向）Iへ挿入することにより第１連結手段４１，４２，４３、４４を連結し、かつ第１の方向Iとは逆向きとなる上側への引き抜き方向へ引き抜き、引き上げることにより連結状態が解除される。
【００３０】
第２連結・解除装置２Ｂ、２Ｂは、図５において拡大して示したように、前身肩部１３，１４上及び後身肩部３３、３４上の設けた第２連結手段７１，７３，７４と、第２連結手段７１，７３，７４を連結しかつ連結を解除する第２連結・解除手段６１とを有する。
【００３１】
第２連結・解除手段６１は、第２連結手段７１，７３，７４に挿抜可能となっている。一方の第２連結・解除手段６１は、第１の方向Iと交差する方向の第２の方向（挿入方向）IIへ挿入することにより第２連結手段７１，７３，７４を連結し、かつ第２の方向IIとは逆向きとなる引き抜き方向へ引き抜くことにより連結状態が解除される。
【００３２】
他方の第２連結・解除手段６１は、第１の方向I及び第２の方向IIと交差する方向の第３の方向（挿入方向）IIIへ挿入することにより第２連結手段７１，７３，７４を連結し、かつ第３の方向IIIとは逆向きとなる引き抜き方向へ引き抜くことにより連結状態が解除される。なお、第２の方向II及び第３の方向IIIは、両方の後身肩部３３，３４間の中央部分から第１の方向Iを斜め下に交差するように傾斜する方向である。
【００３３】
第１連結・解除手段５１は、前首部１２ａの下方で着用者の胸面に対向する前身主体部１２の中央部分において第１の方向Iに沿って下側へ引き下げることにより連結が解除される。即ち、第１連結・解除手段５１は、一方の第１連結・解除手段５１の一端部から後身肩部３３，３４を通り、さらに前身主体部１２の中央部分上から他方の第１連結・解除手段５１の一端部へ戻るようにループ状に配されている。
【００３４】
第２連結・解除手段６１は、第１の方向Iに沿って引き下げることにより連結状態が解除される。即ち、第２連結・解除手段６１は、第２連結・解除手段６１の一端部のそれぞれから両方の後身肩部３３，３４へ交差して通り、さらに前身主体部１２の中央部分上から一端部のそれぞれへ戻るようにループ状に配されている。
【００３５】
したがって、第１連結・解除装置１Ａ、２Ａ及び第２連結・解除装置１Ｂ、２Ｂは、前身主体部１２上のループ状の第１連結・解除手段５１及び第２連結・解除手段６１の一部を前首部１２ａの下方から第１の方向Iに沿って下側へ引き下げると、前身頃体１１と後身頃体３１との連結状態が同時に解除される。
【００３６】
以下、第１連結・解除装置１Ａ、２Ａ及び第２連結・解除装置１Ｂ、２Ｂを具合的に説明する。第１連結・解除装置１Ａ、２Ａのそれぞれは、第１連結手段４１，４２，４３、４４と第１連結・解除手段５１とを有する。
【００３７】
以下に、第１連結手段４１，４２，４３、４４の構成について説明する。第１連結手段４１，４２，４３、４４は、前身装着部１５，１６の延在端部のそれぞれに一端部が固定されている一対の第１バンド部材４１，４２と、後身主体部３２の中央部分に固定されているテープ形状の第１固定部材４３，４４とを有する。
【００３８】
第１バンド部材４１，４２の他端部には、後身主体部３２上において第１の方向Iに沿って貫通するように第１貫通孔４１ａ，４２ａが形成されている。第１固定部材４３，４４は、第１の方向Iで第１バンド部材４１，４２の他端部の上下の近傍に位置するように後身主体部３２の表面に固定されている。下段の第１バンド部材４１，４２の近傍に位置している第１固定部材４３，４４には、第１バンド部材４１，４２の第１貫通孔４１ａ，４２ａと同じ位置になるように第１固定貫通孔４３ａ，４３ｂが形成されている。上段の第１バンド部材４１，４２の近傍に位置している第１固定部材４４には、第１バンド部材４１，４２の第１貫通孔４１ａ，４２ａと同じ位置になるように第１固定貫通孔４４ａ，４４ｂが形成されている。
【００３９】
第１貫通孔４１ａ，４２ａは、第１バンド部材４１，４２の他端部を折り返して第１バンド部材４１，４２を重ね合わせ、重ね合わせ部分を縫合し固定することで縫合部分の間の部分によって形成することができる。第１固定貫通孔４４ａ，４４ｂは、後身主体部３２に第１固定部材４３，４４を縫合し固定することで縫合部分の間の部分によって形成することができる。
【００４０】
第１バンド部材４１，４２及び第１固定部材４３，４４は、布テープ、樹脂テープなどの帯状部材を採用して作られている。布テープ、樹脂テープなどは、布糸もしくは樹脂糸などを編組して帯状に形成されたものを採用することが望ましい。
【００４１】
なお、第１バンド部材４１，４２の他端部の近傍には、バンド部材４１，４２を通し、長さを調節するバックル、若しくは尾錠などのアジャススター部材４１ｆ，４２ｆが取り付けられている。
【００４２】
第１連結・解除手段５１は、第１貫通孔４１ａ，４２ａ及び第１固定貫通孔４３ａ，４３ｂ，４４ａ，４４ｂに挿抜可能な第１連結・解除部材５２と、第１連結・解除部材５２と接続している第１解除部材５３とを有する。
【００４３】
第１連結・解除部材５２は、図２〜図４に示したように側面逆Ｕ字形状を呈しており、剛性の金属棒又は剛性の樹脂棒によって作られている。第１連結・解除部材５２は、互いに平行な一対の棒状部５２ａ，５２ｂと、一対の棒状部５２ａ，５２ｂの一端同士を連接している接続部５２ｃとを有する。なお、第１解除部材５３は、一端部を第１連結・解除部材５２の接続部５２ｃと接続する線材である。
【００４４】
図１及び図２に示したように、第１解除部材５３は、一方の第１連結・解除部材５２に接続されて一方の後身肩部３３から他方の前身肩部１４へ配されている。さらに第１解除部材５３は、他方の前身肩部１４から前身主体部１２の前首部１２ａの下側を通り、一方の前身肩部１３、他方の後身肩部３４を通り後身主体部３２の下側に戻り、他方の第２連結・解除部材６２に接続されている。
【００４５】
図５は第２連結・解除装置１Ｂ、２Ｂを拡大して示している。第２連結・解除装置１Ｂ、２Ｂは、第２連結手段７１，７３、７４と第２連結・解除手段６１とを有する。
【００４６】
以下に、第２連結手段７１，７３、７４について説明する。第２連結手段７１，７３、７４は、テープ形状の第２バンド部材７１と、テープ形状の第２固定部材７３、７４とを有する。第２バンド部材７１は、一端部７１ａが前身肩部１３，１４のそれぞれに固定されているバンド部７１ｅと、バンド部７１ｅにリング部材７０を介して連結されているテープ状の係止部７１ｆを有する。
【００４７】
係止部７１ｆは第２バンド部材７１の他端部であり、この他端部が第２バンド部材７１の連結・解除部分となっている。なお、この実施の形態例では、バンド部７１ｅにリング部材７０を介して係止部７１ｆが連結されているが、リング部材７０がなく、バンド部７１ａと係止部７１ｆが一体のテープ状の部材の第２バンド部材７１であってもよい。
【００４８】
第２固定部材７３、７４は、後身肩部３３，３４で第２バンド部材７１の近傍に位置するように後身肩部３３，３４の表面に設けられている。
【００４９】
一方の第２連結・解除装置１Ｂにおいて、第２バンド部材７１の係止部７１ｆには、第２の方向IIに沿って貫通するように３箇所に第２貫通孔７２ａ，７２ｂ，７２ｃが形成されている。第２固定部材７３，７４は、連結時に第２の方向IIで第２バンド部材７１の近傍に係止部７１ｆが位置するように後身主体部３２の表面の２箇所に固定されている。なお、この実施の形態例においては、第２貫通孔７２ａ，７２ｂ，７２ｃは、第２バンド部材７１の長手方向と直交するように形成されている。
【００５０】
また、他方の第２連結・解除装置２Ｂにおいて、係止部７１ｆには、第３の方向IIIに沿って貫通するように３箇所に第２貫通孔７２ａ，７２ｂ，７２ｃが形成されている。第２固定部材７３，７４は、連結時に第３の方向IIIで第２バンド部材７１の近傍に係止部７１ｆが位置するように後身主体部３２の表面の２箇所に固定されている。なお、この実施の形態例においては、第２貫通孔７２ａ，７２ｂ，７２ｃは、第２バンド部材７１の長手方向と直交するように形成されている。
【００５１】
第２固定部材７３，７４において、一方の第２固定部材７３には係止部７１ｆの２箇所の第２貫通孔７２ａ，７２ｂ、又は係止部７１ｆの２箇所の第２貫通孔７２ｂ，７２ｃと同じ位置に調整できるように第２固定貫通孔７３ａ，７３ｂが形成されている。他方の第２固定部材７４には、係止部７１ｆの２箇所の第２貫通孔７２ａ，７２ｂ、又は係止部７１ｆの２箇所の第２貫通孔７２ｂ，７２ｃと同じ位置に調整できるように第２固定貫通孔７４ａ，７４ｂが形成されている。
【００５２】
即ち、第２貫通孔７２ａ，７２ｂ，７２ｃの数を第２固定貫通孔７３ａ，７３ｂ，７４ａ，７４ｂの数よりも多く形成しておくことで、第２バンド部材７１の長手方向における長さを調整して連結することができる。
【００５３】
なお、第２貫通孔７２ａ，７２ｂ，７２ｃは、上述したように第２バンド部材７１の係止部７１ｆを形成する際に、係止部７１ｆとするテープ状の部材を折り返して重ね合わせ、重ね合わせ部分を縫合し固定することによって縫合部分の間の部分に形成することができる。第２固定貫通孔７３ａ，７３ｂ，７４ａ，７４ｂは、後身主体部３２に第２固定部材７３，７４を縫合し固定することにより縫合部分の間の部分に形成することができる。
【００５４】
第２連結・解除手段６１は、一対の第２貫通孔７２ａ，７２ｂ、又は一対の第２貫通孔７２ｂ，７２ｃと第１固定貫通孔７３ａ，７３ｂ，７４ａ，７４ｂとに挿抜可能な第２連結・解除部材６２と、第２連結・解除部材６２と接続している第２解除部材６３とを有する。
【００５５】
第２連結・解除部材６２は、図２及び図５に示したように側面逆Ｕ字形状を呈しており、剛性の金属棒又は剛性の樹脂棒によって作られている。第２連結・解除部材６２は、一対の棒状部６２ａ，６２ｂと、一対の棒状部６２ａ，６２ｂの一端同士を連接している接続部６２ｃを有する。
【００５６】
第２解除部材６３は線材であり、第２連結・解除部材６２の接続部６２ｃと線材の一端部が接続されている。第１連結・解除部材５２及び第２連結・解除部材６２は、後身主体部３２上に露出している。
【００５７】
また、第１解除部材５３及び第２解除部材６３は、後身主体部３２、前身主体部１２、前身肩部１３，１４及び後身肩部３３，３４の面上の所定の位置に配置することができる。さらに［この際］、第１解除部材５３及び第２解除部材６３は、後身主体部３２、前身主体部１２、前身肩部１３，１４及び後身肩部３３，３４の一部に取り付けたカバー体（図示せず）により覆い、カバー体の内側に設けることができる。なお、後身主体部３２、前身主体部１２、前身肩部１３，１４及び後身肩部３３，３４とカバー体とを、所望する箇所において互いに縫合しておいてもよい。
【００５８】
したがって、第１解除部材５３及び第２解除部材６３は、後身主体部３２、前身主体部１２、前身肩部１３，１４及び後身肩部３３，３４及びカバー体間の所定位置に配置させることができる。
【００５９】
上述したように配置した第１解除部材５３及び第２解除部材６３は、操作部材７５を引っ張り操作したときに引っ掛かることなく、円滑に移動させることができる。
【００６０】
図１、図２、図５に示したように、第２解除部材６３は、一方の第２連結・解除部材６２に接続されて一方の後身肩部３３から後首部３２ａの下側を通り、他方の後身肩部３４、一方の前身肩部１３へ配されている。さらに第２解除部材６３は、一方の前身肩部１３から前身主体部１２の前首部１２ａの下側を通り、他方の前身肩部１４、一方の後身肩部３３を通り後首部３２ａの下側に戻り、他方の第２連結・解除部材６２に接続されている。
【００６１】
したがって、第２解除部材６３は、後首部３２ａの下側で両方の後身肩部３３，３４において交差するように配設されている。
【００６２】
さらに、一方の第２連結・解除装置１Ｂと他方の第２連結・解除装置２Ｂとは、図２、図５及び図７に示したように、後身肩部３３、３４の上側及び下側の方向間で位置が互いにずれて配置している。
【００６３】
前身主体部１２上で前首部１２ａ周りに位置している第１解除部材５３及び第２解除部材６３には、前身主体部１２と同様な材料にて作られている小片形状の操作部材７５が設けられている。
【００６４】
胴衣を着用者に装着するには、後身主体部３２の表面に一対の前身装着部１５，１６を巻きつけ、一対の第１バンド部材４１，４２の他端部の先端同士が第１の方向Iで互いに対向するように後身主体部３２の表面上にセットする。この際、一対の第１バンド部材４１，４２の第１貫通孔４１ａ，４２ａと第１固定部材４３，４４の第１固定貫通孔４３ａ、４３ｂ，４４ａ，４４ｂとが第１の方向Iで同一方向の位置となるようにセットする。なお、第１バンド部材４１，４２は、アジャスター部材４１ｆ，４２ｆにより第１の方向Iの長さを調節することができる。
【００６５】
次に、第１貫通孔４１ａ，４２ａと第１固定部材４３，４４の第１固定貫通孔４３ａ、４３ｂ，４４ａ，４４ｂとに第１連結・解除部材５２の棒状部５２ａ，５２ｂを挿入すると、後身主体部３２の表面に一対の前身装着部１５，１６とが連結される。
【００６６】
さらに、前身肩部１３，１４に一端部７１ａが固定されている第２バンド部材７１の係止部７１ｆを一対の第２固定部材７３、７４間にセットする。この際、係止部７１ｆの第２貫通孔７２ａ，７２ｂ、又は係止部７１ｆの第２貫通孔７２ｂ，７２ｃいずれかと第２固定部材７３、７４の第２固定貫通孔７３ａ，７３ｂとが同じ位置となるように調整してセットする。
【００６７】
次に、第２貫通孔７２ａ，７２ｂと第２固定貫通孔７３ａ，７３ｂ，７４ａ，７４ｂとに第２連結・解除部材６２の棒状部６２ａ，６２ｂを、第２貫通孔７２ａ，７２ｂ又は第２貫通孔７２ｂ，７２ｃのいずれかに挿入すると、後身主体部３２と前身肩部１３，１４とが連結される。その後、着用者は、前首部１２ａ及び後首部３２ａ間に着用者の頭部を通して前身頃体１１及び後身頃体３１を装着すると胴衣の装着が完了する。
【００６８】
以下に、図１および図２に示した前身頃体１１及び後身頃体３１を装着した状態から第１連結・解除装置１Ａ、２Ａ及び第２連結・解除装置１Ｂ，２Ｂによって、前身主体部１２及び後身主体部３２間、前身肩部１４ａ，１４ｂ及び後身肩部３３ａ，３３ｂ間の連結状態を解除する操作について説明する。
【００６９】
第１連結・解除装置１Ａ、２Ａ及び第２連結・解除装置１Ｂ，２Ｂは、図１に示した操作部材７５を図６に示したように第１の方向Iに沿って引き下げることによって連結が解除される。即ち、第１連結・解除装置１Ａ、２Ａは、図２及び図３に示した連結状態から、図４、図６及び図７に示したように、操作部材７５を手によって第１の方向Ｉへ引き下げたとき、第１解除部材５３の中間部分が第１の方向Iに沿って引き下げられる。この際、第１連結・解除部材５２は第１バンド部材４１，４２及び第１固定部材４３，４４から外れるので、前身装着部１５，１６と後身主体部３２との連結状態が解除される。
【００７０】
同時に、第２連結・解除装置１Ｂ、２Ｂは、図２及び図５に示した連結状態から、図６及び図７に示したように、操作部材７５を手によって第１の方向Ｉへ引き下げたとき、第２連結・解除部材６２が第２バンド部材７１の係止部７１ｆ及び第２固定部材７３，７４から外れるので、前身主体部１２と後身主体部３２との連結状態が解除される。
【００７１】
なお、一方の第２連結・解除装置１Ｂと、他方の第２連結・解除装置２Ｂとは、後身肩部３３、３４の上側及び下側の方向間で位置が互いにずれて配置されている。よって、第２連結・解除部材６２が第２バンド部材７１の係止部７１ｆ及び第２固定部材７３，７４から外れたときには、後首部３２ａの下方において上下に移動させて位置させることができるので、第２連結・解除部材６２同士がぶつかり合うことによる引き抜きにおける傷害を防止することができる。
【００７２】
なお、この実施の形態例における前身頃体１１、後身頃体３１及び前身装着部１５，１６などは、樹脂シート、布などの外被を袋形状にして一体に縫製することができる。
【００７３】
操作部材７５は、装着者が左右の手のいずれか一方の手に物を持っている場合において、他方の手によって操作することで第１解除部材５３及び第２解除部材６３を同時に引っ張ることができる。よって、左右のいずれか一方の手によって同時に第１解除部材５３及び第２解除部材６３を協働して引くことで前身頃体１１及び後身頃体３１の連結状態を解除することができる。
【００７４】
また、操作部材７５は、前身主体部１２上にカバー体（図示せず）を設けておくことにより、カバー体の内側に隠れるようにしていくことができる。
【００７５】
さらに、前身装着部１５，１６と後身主体部３２とを連結する際には、前身装着部１５，１６と後身主体部３２との対向面、及び第１バンド部材４１，４２と第２バンド部材７１とを仮止めする止着部材（図示せず）及び相手止着部材（図示せず）を設けておくと位置決めが容易となる。
【００７６】
止着部材及び相手止着部材としては、雌雄からなる面ファスナー（ベルベットクロス・ファスナー）、スナップ式ファスナー、スナップボタン、ファスナーテープ、スナップテープなどを適宜に設ける。
【００７７】
さらに、第１解除部材５３及び第２解除部材６３は、丸線、平線など可撓性を有する金属の線材であることが望ましい。第１解除部材５３及び第２解除部材６３に用いる線材は、樹脂線材や糸紐や糸撚線材のような紐や、鋼線材及び樹脂線材のようなワイヤーなど、引っ張り力に対して容易に切断しない部材を採用する。
【００７８】
図８及び図９は、第２の実施の形態例として胴衣を示している。第２の実施の形態例として胴衣では、前身主体部１２を分離して開放できるように、一方の前身装着部１５に一体に設けた重ね装着部１５ａが前身主体部１２の表面の略半分の面に図示しない止着部材を介して着脱可能に重ね合わされて止着されている。
【００７９】
したがって、前身主体部１２の表面から重ね装着部１５ａを剥がすと、前身主体部１２と重ね装着部１５ａを分離させことができる。このような胴衣においては、図８に示したように、一方の第２連結・解除装置１Ｂの連結・解除部分を第１の実施の形態例と同様に、一方の後身肩部１４に設ける。
【００８０】
さらに、他方の第２連結・解除装置２Ｂの連結・解除部分を前身肩部１４に設ける。そして、第１解除部材５３及び第２解除部材６３を後身主体部３２から、もう一の後身肩部３３、一対の前身肩部１３，１４の間へループ状に配し前首部１２ａの下側に位置する第１解除部材５３及び第２解除部材６３に操作部材７５を設ける。
【００８１】
第１連結・解除装置１Ａ、２Ａ及び第２連結・解除装置１Ｂ，２Ｂは、図１０に示した操作部材７５を第１の方向Iに沿って引くと連結が解除される。即ち、第１連結・解除装置１Ａ、２Ａは、図８及び図９に示した連結状態から、図１０及び図１１に示したように操作部材７５を手によって引くと、第１連結・解除部材５２が第１バンド部材４１，４２及び第１固定部材４３，４４から外れるので、前身装着部１５，１６と後身主体部３２との連結状態が解除される。
【００８２】
同時に、第２連結・解除装置１Ｂ、２Ｂは、図８及び図９に示した連結状態から、図１０及び図１１に示したように、操作部材７５を手によって第１の方向Iを略直交する一方向に沿って引く。この際、第２連結・解除部材６２は第２バンド部材７１の係止部７１ｆ及び第２固定部材７３，７４から外れるので、前身主体部１２と後身主体部３２との連結状態が解除される。
【００８３】
図１２及び図１３には、第３の実施の形態例として第１連結・解除装置１Ａ、２Ａの第１連結・解除手段５１に代わる第１解除・連結手段９１を拡大して示している。
【００８４】
第１解除・連結手段９１は、可撓性を有する線材であり、２本の第１解除・連結手段９１の一端部９１ａを第１貫通孔４１ａ，４２ａと第１固定部材４３，４４の第１固定貫通孔４３ａ、４３ｂ，４４ａ，４４ｂとに挿入し、後身主体部３２の表面に一対の前身装着部１５，１６とを連結するものである。
【００８５】
また、第２連結・解除装置１Ｂ，２Ｂにおいても第２連結・解除手段６１に代わる構成として第１解除・連結手段９１と同様な第２解除・連結手段を採用することができる。この場合のおいても第２連結・解除手段９１を２本として、これらの一端部を第２貫通孔７２ａ，７２ｂ又は第２貫通孔７２ｂ，７２ｃのいずれかと、第２固定貫通孔７３ａ，７３ｂ，７４ａ，７４ｂとに第２連結・解除手段９１の一端部９１ａを挿入して後身肩部３３，３４と前身肩部１３，１４とを連結するものである。
【００８６】
なお、第１解除・連結手段９１の一端部９１ａを第１貫通孔４１ａ，４２ａと第１固定部材４３，４４の第１固定貫通孔４３ａ、４３ｂ，４４ａ，４４ｂとに挿入した後、下側の第１固定部材４３から突き出させた第１解除・連結手段９１の一端部９１ａを互いに離れる向きで第１の方向Ｉと交差する向きに曲げておくことができる。
【００８７】
このように、第１解除・連結手段９１の一端部９１ａを曲げておくと、第１の方向Ｉとは逆方向への引き抜きを制御することができるので、操作時に必要な引き抜き力よりも弱い引き抜き力によって、第１解除・連結手段９１が下側の第１固定部材４３から抜け出でしまうことを防ぐことができる。
【００８８】
上述した第１解除・連結手段９１を用いる場合においても、第１連結・解除装置１Ａ、２Ａ及び第２連結・解除装置１Ｂ、２Ｂは、前身主体部１２上の第１連結・解除手段５１及び第２連結・解除手段６１の一部を手により引くと、図４、図７〜図９に示した解除操作と同様に、前身頃体１１と後身頃体３１との連結状態を解除することができる。なお、この実施の形態例における第２連結・解除手段６１の配置は、図１及び図２によって説明した第１解除部材５３の配置と同じである。
【００８９】
図１４は、第１及び第２の実施の形態例によって説明したテープ形状の第２バンド部材７１の変形例を示している。なお、図１４に示した第２バンド部材７１の変形例では、第２バンド部材７１のバンド部７１ｅに代わる変形例としてバンド部７１ｊを提案したものであり、その他の構成要素は第１の実施の形態例によって説明した構成要素と同じであるため、バンド部７１ｊ以外の詳細な説明を省略する。
【００９０】
図１４を参照して、テープ状のバンド部７１ｊは、一端部７１ａが前身肩部１３，１４のそれぞれに固定されており、リング部材７０の内側に通して一端部７１ａと対向するように迂回されている。バンド部７１ｊの他端部には、引き出し部材８１が設けられている。引き出し部材８１は、図示した手の指が入るリング状部材を設けるほかに、バンド部７１ｊの他端部を重ね合わせ縫合してリング状部分を形成するようにしてもよい。
【００９１】
バンド部７１ｊの一端部７１ａの近傍には、一端部７１ａと対向するように迂回されているバンド部７１ｊに対向する表面に止着部材８２が設けられている。また、止着部材８２に対向するバンド部７１ｊの対向面には、相手止着部材８３が設けられている。
【００９２】
なお、止着部材８２及び相手止着部材８３としては、面ファスナー（ベルベットクロス・ファスナー）、スナップ式ファスナー、スナップボタン、ファスナーテープ、スナップテープなどを適宜に設ける。
【００９３】
前身肩部１３，１４と後身肩部３３，３４とを連結する際には、係止部７１ｆの第２貫通孔７２ａ，７２ｂ又は第２貫通孔７２ｂ，７２ｃのいずれかと、係止部７１ｆの第２固定貫通孔７３ａ，７３ｂ，７４ａ，７４ｂとに第２連結・解除部材６２の棒状部６２ａ，６２ｂを挿入すると、後身主体部３２と前身肩部１３，１４とが連結前の状態となる。この後、着用者は、前首部１２ａ及び後首部３２ａ間に着用者の頭部を通して前身頃体１１及び後身頃体３１を装着する。
【００９４】
前身頃体１１及び後身頃体３１を装着した後、バンド部７１ｊをリング部材７０の内側に通して一端部７１ａと対向するように迂回させ、引き出し部材８１を手の指によって下側方向へ引っ張ると、前身肩部１３と後身肩部３４とが引き寄せられる。その後、止着部材８２及び相手止着部材８３によって止着すると、前身頃体１１及び後身頃体３１の装着が完了する。
【００９５】
なお、止着部材８２及び相手止着部材８３は、バンド部７１ｊの長手方向に設けることによって、着用者にとって最適にフィットした位置で前首部１２ａ及び後首部３２ａ周りを調整して止着することができる。
【００９６】
また、第２連結・解除装置１Ｂ、２Ｂは、図２及び図５に示した連結状態から、図６及び図７に示したように、操作部材７５を手によって下側へ引き下げたとき、第２連結・解除部材６２が第２バンド部材７１の係止部７１ｆ及び第２固定部材７３，７４から外れるので、前身主体部１２と後身主体部３２との連結状態が解除される。
【符号の説明】
【００９７】
１Ａ，２Ａ  第１連結・解除装置
１Ｂ，２Ｂ  第２連結・解除装置
１１  前身頃体
１２  前身主体部
１３，１４  前身肩部
１５，１６  前身装着部
１５ａ  重ね装着部
３１  後身頃体
３２  後身主体部
３３，３４  後身肩部
４１，４２  第１バンド部材（第１連結手段）
４１ａ，４２ａ  第１貫通孔
４３，４４  第１固定部材（第１連結手段）
４３ａ，４３ｂ、４４ａ，４４ｂ  第１固定貫通孔
５１，９１  第１連結・解除手段
５２  第１連結・解除部材
５３  第１解除部材
６１  第２連結・解除手段
６２  第２連結・解除部材
６３  第２解除部材
７１  第２バンド部材（第２連結手段）
７１ａ  第２バンド部材の一端部
７１ｅ  バンド部
７１ｆ  係止部（他端部）
７２ａ、７２ｂ，７２ｃ  第２貫通孔
７３，７４  第２固定部材（第２連結手段）
７３ａ，７３ｂ、７４ａ，７４ｂ  第２固定貫通孔
７５  操作部材
I  第１の方向
II  第２の方向
III  第３の方向
【図１】
2011094275.tif 000003
【図２】
2011094275.tif 000004
【図３】
2011094275.tif 000005
【図４】
2011094275.tif 000006
【図５】
2011094275.tif 000007
【図６】
2011094275.tif 000008
【図７】
2011094275.tif 000009
【図８】
2011094275.tif 000010
【図９】
2011094275.tif 000011
【図１０】
2011094275.tif 000012
【図１１】
2011094275.tif 000013
【図１２】
2011094275.tif 000014
【図１３】
2011094275.tif 000015
【図１４】
2011094275.tif 000016